(57)【要約】【課題】クラウドサーバに大衆知として蓄積された他のユーザによるコンテンツの再生履歴に基づいて、ユーザの現状にマッチしたコンテンツを提供すること。【解決手段】ユーザの状況を示すユーザ状況情報を無線通信ネットワークを介して接続されたサーバに送信する第１送信手段と、サーバによるコンテンツの選択結果を受信する第１受信手段と、選択結果に基づいてコンテンツを再生する再生手段と、を備えた通信端末と、ユーザが所有するコンテンツ群を示すコンテンツリストを記憶するコンテンツリスト記憶手段と、第１送信手段によって送信されたユーザ状況情報を通信端末から受信する第２受信手段と、第２受信手段によって受信されたユーザ状況情報に対応したコンテンツをコンテンツリストから選択する選択手段と、選択手段による選択結果を通信端末に送信する第２送信手段と、を備えたサーバとを含むことを特徴とする。【選択図】  図１
2013200696.tif 000002
【特許請求の範囲】
【請求項１】
ユーザの状況を示すユーザ状況情報を、無線通信ネットワークを介して接続されたサーバに送信する第１送信手段と、
前記サーバによるコンテンツの選択結果を受信する第１受信手段と、
前記選択結果に基づいてコンテンツを再生する再生手段と、
を備えた通信端末と、
前記ユーザが所有するコンテンツ群を示すコンテンツリストを記憶するコンテンツリスト記憶手段と、
前記第１送信手段によって送信された前記ユーザ状況情報を前記通信端末から受信する第２受信手段と、
前記第２受信手段によって受信された前記ユーザ状況情報に対応したコンテンツを前記コンテンツリストから選択する選択手段と、
前記選択手段による選択結果を前記通信端末に送信する第２送信手段と、
を備えたサーバと、
を含むことを特徴とする情報処理システム。
【請求項２】
前記通信端末は、前記ユーザ状況情報に対応したコンテンツの選択を、前記サーバに対してリクエストする要求手段をさらに備え、
前記選択手段は、前記第１送信手段によって送信された前記ユーザ状況情報と前記要求手段によるリクエストとに基づいて、前記コンテンツを選択することを特徴とする請求項１に記載の情報処理システム。
【請求項３】
前記サーバは、前記再生手段によって再生された再生時間を前記コンテンツごとに取得する取得手段と、
前記再生時間に応じたポイントを前記コンテンツごとに記憶するポイント記憶手段と、
をさらに備え、
前記選択手段は、前記ポイント記憶手段に記憶された前記ポイントに基づいて、前記ユーザ状況情報に対応したコンテンツを選択することを特徴とする請求項１または２に記載の情報処理システム。
【請求項４】
前記ユーザ状況情報は、同伴者の有無、同伴者との関係、ユーザの心理状態、およびユーザの行動、のうち、少なくともいずれか１つに関する情報を含むことを特徴とする請求項１乃至３のいずれか１項に記載の情報処理システム。
【請求項５】
前記第１送信手段は、さらに、前記ユーザの属性を示すユーザ属性情報を前記サーバに送信し、
前記選択手段は、さらに、前記ユーザ状況情報と前記ユーザ属性情報とに対応したコンテンツを前記コンテンツリストから選択することを特徴とする請求項１乃至４のいずれか１項に記載の情報処理システム。
【請求項６】
前記ユーザ属性情報は、ユーザの年齢、性別、職業、および役職の少なくともいずれか１つに関する情報を含むことを特徴とする請求項５に記載の情報処理システム。
【請求項７】
前記第１送信手段は、さらに、前記ユーザの環境を示すユーザ環境情報を前記サーバに送信し、
前記選択手段は、さらに、前記ユーザ状況情報と前記ユーザ環境情報とに対応したコンテンツを前記コンテンツリストから選択することを特徴とする請求項１乃至６のいずれか１項に記載の情報処理システム。
【請求項８】
前記ユーザ環境情報は、前記ユーザの位置情報、現在地の写真、季節、天候、時間、および、目的地のうち、少なくともいずれか１つに関する情報を含むことを特徴とする請求項７に記載の情報処理システム。
【請求項９】
前記サーバは、
前記ユーザが所有するコンテンツ群を記憶するコンテンツ記憶手段をさらに備え、
前記第２送信手段は、前記選択結果として、前記コンテンツ記憶手段から選択して読み出したコンテンツデータを前記通信端末に送信することを特徴とする請求項１乃至８のいずれか１項に記載の情報処理システム。
【請求項１０】
前記通信端末は、
前記ユーザが所有するコンテンツ群を記憶するコンテンツ記憶手段をさらに備え、
前記第１送信手段は、さらに、前記コンテンツ記憶手段に記憶されたコンテンツ群のコンテンツリストを送信し、
前記第２送信手段は、前記選択結果として、前記コンテンツを特定するコンテンツ情報を前記通信端末に送信することを特徴とする請求項１乃至８のいずれか１項に記載の情報処理システム。
【請求項１１】
前記ユーザが所有するコンテンツ群を記憶するコンテンツ記憶サーバをさらに備え、
前記第２送信手段は、前記選択結果として、前記コンテンツ記憶サーバから選択して読み出したコンテンツデータを前記通信端末に送信することを特徴とする請求項１乃至８のいずれか１項に記載の情報処理システム。
【請求項１２】
通信端末が、ユーザの状況を示すユーザ状況情報を、無線通信ネットワークを介して接続されたサーバに送信する第１送信ステップと、
前記通信端末が、前記サーバによるコンテンツの選択結果を受信する第１受信ステップと、
前記通信端末が、前記選択結果に基づいてコンテンツを再生する再生ステップと、
前記サーバが、前記第１送信ステップによって送信されたユーザ状況情報と前記要求ステップによるリクエストとを前記通信端末から受信する第２受信ステップと、
前記サーバが、前記第２受信ステップによって受信された前記ユーザ状況情報に対応したコンテンツを、前記ユーザが所有するコンテンツ群を示すコンテンツリストから選択する選択ステップと、
前記サーバが、前記選択ステップによる選択結果を前記通信端末に送信する第２送信ステップと、
を含むことを特徴とする情報処理方法。
【請求項１３】
ユーザの状況を示すユーザ状況情報を、無線通信ネットワークを介して接続されたサーバに送信する第１送信手段と、
前記サーバによるコンテンツの選択結果を受信する第１受信手段と、
前記選択結果に基づいてコンテンツを再生する再生手段と、
を備えたことを特徴とする通信端末。
【請求項１４】
前記ユーザ状況情報に対応したコンテンツの選択を、前記サーバに対してリクエストする要求手段をさらに備えることを特徴とする請求項１３に記載の通信端末。
【請求項１５】
前記ユーザが所有するコンテンツ群を記憶するコンテンツ記憶手段をさらに備え、
前記第１送信手段は、さらに、前記コンテンツ記憶手段に記憶されたコンテンツ群のコンテンツリストを前記サーバに送信することを特徴とする請求項１３に記載の通信端末。
【請求項１６】
ユーザの状況を示すユーザ状況情報を、無線通信ネットワークを介して接続されたサーバに送信する第１送信ステップと、
前記サーバによるコンテンツの選択結果を受信する第１受信ステップと、
前記選択結果に基づいてコンテンツを再生する再生ステップと、
を備えたことを特徴とする通信端末の制御方法。
【請求項１７】
ユーザの状況を示すユーザ状況情報を、無線通信ネットワークを介して接続されたサーバに送信する第１送信ステップと、
前記サーバによるコンテンツの選択結果を受信する第１受信ステップと、
前記選択結果に基づいてコンテンツを再生する再生ステップと、
をコンピュータに実行させることを特徴とする通信端末の制御プログラム。
【請求項１８】
通信端末と接続可能なサーバであって、
ユーザが所有するコンテンツ群を示すコンテンツリストを記憶するコンテンツリスト記憶手段と、
前記ユーザの状況を示すユーザ状況情報を前記通信端末から受信する第２受信手段と、
前記第２受信手段によって受信された前記ユーザ状況情報に対応したコンテンツを前記コンテンツリストから選択する選択手段と、
前記選択手段による選択結果を前記通信端末に送信する第２送信手段と、
を備えたことを特徴とするサーバ。
【請求項１９】
前記ユーザ状況情報は、同伴者の有無、同伴者との関係、ユーザの心理状態、およびユーザの行動、のうち、少なくともいずれか１つに関する情報を含み、
前記選択手段は、前記通信端末から受信した前記ユーザ状況情報と、前記通信端末からの前記ユーザ状況情報に対応したコンテンツを選択するよう要求する前記通信端末からのリクエストとに基づいて、前記コンテンツを選択することを特徴とする請求項１８に記載のサーバ。
【請求項２０】
前記再生手段によって再生された再生時間を前記コンテンツごとに取得する取得手段と、
前記再生時間に応じたポイントを前記コンテンツごとに記憶するポイント記憶手段と、
をさらに備え、
前記選択手段は、前記ポイント記憶手段に記憶された前記ポイントに基づいて、前記ユーザ状況情報に対応したコンテンツを選択することを特徴とする請求項１８または１９に記載のサーバ。
【請求項２１】
前記選択手段は、さらに、前記通信端末から受信した前記ユーザの属性を示すものとして、ユーザの年齢、性別、職業、および役職の少なくともいずれか１つに関する情報を含むユーザ属性情報と前記ユーザ状況情報とに対応したコンテンツを、前記コンテンツリストから選択することを特徴とする請求項１８乃至２０のいずれか１項に記載のサーバ。
【請求項２２】
前記選択手段は、さらに、前記通信端末から受信した、前記ユーザの環境を示すものとして、ユーザの位置情報、現在地の写真、季節、天候、時間、および、目的地のうち、少なくともいずれか１つに関する情報を含むユーザ環境情報と前記ユーザ状況情報とに対応したコンテンツを、前記コンテンツリストから選択することを特徴とする請求項１８乃至２１のいずれか１項に記載のサーバ。
【請求項２３】
前記ユーザが所有するコンテンツ群を記憶するコンテンツ記憶手段をさらに備え、
前記第２送信手段は、前記選択結果として、前記コンテンツ記憶手段から選択して読み出したコンテンツデータを前記通信端末に送信することを特徴とする請求項１８乃至２２のいずれか１項に記載のサーバ。
【請求項２４】
通信端末と接続可能なサーバの制御方法であって、
ユーザの状況を示すユーザ状況情報を前記通信端末から受信する第２受信ステップと、
前記サーバが、前記第２受信ステップによって受信された前記ユーザ状況情報に対応したコンテンツを、前記ユーザが所有するコンテンツ群を示すコンテンツリストから選択する選択ステップと、
前記サーバが、前記選択ステップによる選択結果を前記通信端末に送信する第２送信ステップと、
を備えたことを特徴とするサーバの制御方法。
【請求項２５】
通信端末と接続可能なサーバの制御プログラムであって、
ユーザの状況を示すユーザ状況情報を前記通信端末から受信する第２受信ステップと、
前記サーバが、前記第２受信ステップによって受信された前記ユーザ状況情報に対応したコンテンツを、前記ユーザが所有するコンテンツ群を示すコンテンツリストから選択する選択ステップと、
前記サーバが、前記選択ステップによる選択結果を前記通信端末に送信する第２送信ステップと、
をコンピュータに実行させることを特徴とするサーバの制御プログラム。
【発明の詳細な説明】
【技術分野】
【０００１】
本発明は、情報処理システム、情報処理方法、通信端末、通信端末の制御方法および制御プログラム、サーバ、サーバの制御方法および制御プログラムに関する。
【背景技術】
【０００２】
上記技術分野において、特許文献１には、クラウドサーバを用いて、Ｗｅｂサーバ構築用のサービスや業務システムや電子商取引のサーバ構築用のサービスなど様々なサービス（アプリケーション）を受けられる技術が開示されている。
【先行技術文献】
【特許文献】
【０００３】
【特許文献１】特許4852734号公報
【発明の概要】
【発明が解決しようとする課題】
【０００４】
しかしながら、上記文献に記載の技術では、クラウドサーバからユーザが受けられるサービスの設定内容等を自動的に設定されるため、ユーザ毎の個別具体的な状況に応じたサービスの提供を受けることができなかった。
【０００５】
本発明の目的は、上述の課題を解決する技術を提供することにある。
【課題を解決するための手段】
【０００６】
上記目的を達成するため、本発明に係るシステムは、
ユーザの状況を示すユーザ状況情報を、無線通信ネットワークを介して接続されたサーバに送信する第１送信手段と、
前記サーバによるコンテンツの選択結果を受信する第１受信手段と、
前記選択結果に基づいてコンテンツを再生する再生手段と、
を備えた通信端末と、
前記ユーザが所有するコンテンツ群を示すコンテンツリストを記憶するコンテンツリスト記憶手段と、
前記第１送信手段によって送信された前記ユーザ状況情報を前記通信端末から受信する第２受信手段と、
前記第２受信手段によって受信された前記ユーザ状況情報に対応したコンテンツを前記コンテンツリストから選択する選択手段と、
前記選択手段による選択結果を前記通信端末に送信する第２送信手段と、
を備えたサーバと、
を含むことを特徴とする。
【０００７】
上記目的を達成するため、本発明に係る方法は、
通信端末が、ユーザの状況を示すユーザ状況情報を、無線通信ネットワークを介して接続されたサーバに送信する第１送信ステップと、
前記通信端末が、前記サーバによるコンテンツの選択結果を受信する第１受信ステップと、
前記通信端末が、前記選択結果に基づいてコンテンツを再生する再生ステップと、
前記サーバが、前記第１送信ステップによって送信されたユーザ状況情報と前記要求ステップによるリクエストとを前記通信端末から受信する第２受信ステップと、
前記サーバが、前記第２受信ステップによって受信された前記ユーザ状況情報に対応したコンテンツを、前記ユーザが所有するコンテンツ群を示すコンテンツリストから選択する選択ステップと、
前記サーバが、前記選択ステップによる選択結果を前記通信端末に送信する第２送信ステップと、
を含むことを特徴とする。
【０００８】
上記目的を達成するため、本発明に係る通信端末は、
ユーザの状況を示すユーザ状況情報を、無線通信ネットワークを介して接続されたサーバに送信する第１送信手段と、
前記サーバによるコンテンツの選択結果を受信する第１受信手段と、
前記選択結果に基づいてコンテンツを再生する再生手段と、
を備えたことを特徴とする。
【０００９】
上記目的を達成するため、本発明に係る通信端末の制御方法は、
ユーザの状況を示すユーザ状況情報を、無線通信ネットワークを介して接続されたサーバに送信する第１送信ステップと、
前記サーバによるコンテンツの選択結果を受信する第１受信ステップと、
前記選択結果に基づいてコンテンツを再生する再生ステップと、
を備えたことを特徴とする。
【００１０】
上記目的を達成するため、本発明に係る通信端末の制御プログラムは、
ユーザの状況を示すユーザ状況情報を、無線通信ネットワークを介して接続されたサーバに送信する第１送信ステップと、
前記サーバによるコンテンツの選択結果を受信する第１受信ステップと、
前記選択結果に基づいてコンテンツを再生する再生ステップと、
をコンピュータに実行させることを特徴とする。
【００１１】
上記目的を達成するため、本発明に係るサーバは、
通信端末と接続可能なサーバであって、
ユーザが所有するコンテンツ群を示すコンテンツリストを記憶するコンテンツリスト記憶手段と、
前記ユーザの状況を示すユーザ状況情報を前記通信端末から受信する第２受信手段と、
前記第２受信手段によって受信された前記ユーザ状況情報に対応したコンテンツを前記コンテンツリストから選択する選択手段と、
前記選択手段による選択結果を前記通信端末に送信する第２送信手段と、
を備えたことを特徴とする。
【００１２】
上記目的を達成するため、本発明に係る他の方法は、
通信端末と接続可能なサーバの制御方法であって、
ユーザの状況を示すユーザ状況情報を前記通信端末から受信する第２受信ステップと、
前記サーバが、前記第２受信ステップによって受信された前記ユーザ状況情報に対応したコンテンツを、前記ユーザが所有するコンテンツ群を示すコンテンツリストから選択する選択ステップと、
前記サーバが、前記選択ステップによる選択結果を前記通信端末に送信する第２送信ステップと、
を備えたことを特徴とする。
【００１３】
上記目的を達成するため、本発明に係る他のプログラムは、
通信端末と接続可能なサーバの制御プログラムであって、
ユーザの状況を示すユーザ状況情報を前記通信端末から受信する第２受信ステップと、
前記サーバが、前記第２受信ステップによって受信された前記ユーザ状況情報に対応したコンテンツを、前記ユーザが所有するコンテンツ群を示すコンテンツリストから選択する選択ステップと、
前記サーバが、前記選択ステップによる選択結果を前記通信端末に送信する第２送信ステップと、
をコンピュータに実行させることを特徴とする。
【発明の効果】
【００１４】
本発明によれば、クラウドサーバに大衆知として蓄積された他のユーザによるコンテンツの再生履歴に基づいて、ユーザの現状にマッチしたコンテンツを提供することができる。
【図面の簡単な説明】
【００１５】
【図１】本発明の第１実施形態に係る情報処理システムの構成を示すブロック図である。
【図２】本発明の第２実施形態に係る情報処理システムの概要を示すブロック図である。
【図３】本発明の第２実施形態に係る情報処理システムの全体的な処理の流れを示すシーケンス図である。
【図４】本発明の第２実施形態に係る情報処理システムの構成を示すブロック図である。
【図５Ａ】本発明の第２実施形態におけるクラウドサーバで選曲に用いられるテーブルを示す図である。
【図５Ｂ】本発明の第２実施形態におけるユーザ属性を判定するテーブルを示す図である。
【図５Ｃ】本発明の第２実施形態におけるユーザ属性を判定するテーブルを示す図である。
【図５Ｄ】本発明の第２実施形態におけるユーザ属性を判定するテーブルを示す図である。
【図５Ｅ】本発明の第２実施形態におけるユーザ環境を判定するテーブルを示す図である。
【図５Ｆ】本発明の第２実施形態におけるユーザ状況を判定するテーブルを示す図である。
【図６】本発明の第２実施形態に係るクラウドサーバのハードウェア構成を示す図である。
【図７Ａ】本発明の第２実施形態に係るクラウドサーバの手続きの処理を示すフローチャートである。
【図７Ｂ】本発明の第２実施形態に係るクラウドサーバの手続きの処理を示すフローチャートである。
【図８】本発明の第２実施形態に係るスマートフォンの手続きの処理を示すフローチャートである。
【図９】本発明の第２実施形態に係る情報処理システムの他の利用例を示す図である。
【図１０】本発明の第２実施形態に係る情報処理システムの他の利用例を示す図である。
【図１１】本発明の第３実施形態に係る情報処理システムの利用例を示す図である。
【図１２】本発明の第３実施形態に係るクラウドサーバの手続きの処理を示すフローチャートである。
【図１３】本発明の第４実施形態に係る情報処理システムの利用例を示す図である。
【図１４】本発明の第４実施形態に係るクラウドサーバのハードウェア構成を示す図である。
【発明を実施するための形態】
【００１６】
以下に、本発明を実施するための形態について、図面を参照して、例示的に詳しく説明記載する。ただし、以下の実施の形態に記載されている、構成、数値、処理の流れ、機能要素などは一例に過ぎず、その変形や変更は自由であって、本発明の技術範囲を以下の記載に限定する趣旨のものではない。
【００１７】
［第１実施形態］
本発明の第１実施形態としての情報処理システム１００について、図１を用いて説明する。情報処理システム１００は、音楽情報または映像情報などのコンテンツデータを通信端末において出力するためのシステムである。
【００１８】
図１に示すように、情報処理システム１００は、通信端末１１０と、サーバ１２０とを含み、ネットワーク１３０を介して通信可能に接続されている。通信端末１１０は、送信部１１１と、受信部１１２と、再生部１１３とを備える。サーバ１２０は、コンテンツリスト記憶部１２１と、受信部１２２と、選択部１２３と、送信部１２４とを備える。
【００１９】
通信端末１１０の送信部１１１は、ユーザの状況を示すユーザ状況情報を、無線通信ネットワーク１３０を介して接続されたサーバ１２０に送信する。受信部１１２は、サーバ１２０によるコンテンツの選択結果を受信する。再生部１１３は、選択結果に基づいてコンテンツを再生する。
【００２０】
サーバ１２０のコンテンツリスト記憶部１２１は、ユーザが所有するコンテンツ群を示すコンテンツリストを記憶する。受信部１２２は、送信部１１１によって送信されたユーザ状況情報を通信端末１１０から受信する。選択部１２３は、受信部１２２によって受信されたユーザ状況情報に対応したコンテンツをコンテンツリストから選択する。送信部１２４は、選択部１２３による選択結果を通信端末１１０に送信する。
【００２１】
以上の構成および動作により、本実施形態に係る情報処理システムによれば、ユーザの現状にマッチしたコンテンツを提供することができる。
【００２２】
［第２実施形態］
次に本発明の第２実施形態に係る情報処理システム２００の概要について、図２を用いて説明する。本実施形態において、情報処理システム２００は、スマートフォン２１０からのリクエストに応じて、２０代のカップルがドライブ中に聴きたい音楽をクラウドサーバ２２０において選択する場合を示す。図２のシチュエーション２８０と２９０とは、ユーザの男性において、異なるデート相手の女性の好みに応じた音楽をリクエストした様子を示す。
【００２３】
なお、本発明の実施形態ではリクエスト対象音楽に限定しているがこれに限るものではなく、動画や静止画のような映像情報を選択してもよいし、音楽に限らず、落語、漫才などの演芸、環境音などの効果音のような音情報を選択してもよい。なお、本実施形態においては、クラウドサーバ２２０において選択される音楽は、ユーザ状況情報、ユーザ属性情報、およびユーザ環境情報に対応したコンテンツを、大衆知として蓄積されたコンテンツリストから選択される。
【００２４】
情報処理システム２００の構成としては、スマートフォン２１０と、クラウドサーバ２２０と、ネットワーク２３０と、自宅パーソナルコンピュータ（自宅PC : Personal Computer）２４０とを備える。
【００２５】
スマートフォン２１０は、ドライブ中の自動車のオーディオに接続される。スマートフォン２１０は、音楽を再生する際に、同伴者との関係、ユーザの置かれた心理状況などのユーザ状況や、ユーザの性別や年齢などのユーザ属性や、音楽を再生する場所などのユーザ環境に関するユーザの現状についての情報を、音楽データのリクエストと共にクラウドサーバ２２０に送信する。そして、このリクエストに応じた音楽データの選択結果、すなわち、ユーザの現状に最適な音楽のタイトルリストをクラウドサーバ２２０から受信すると、スマートフォン２１０は、このリストに基づいて自機の蓄積部に蓄積した音楽を再生する。
【００２６】
図２において、スマートフォン２１０は、２０代の男性がドライブ中に聴きたい音楽をクラウドサーバ２２０にリクエストすると、クラウドサーバ２２０はこの状況に最適な音楽の選択結果を、記憶部に記憶されたコンテンツリストに基づいて選択する。例えば、シチュエーション２８０において、クラウドサーバ２２０は、同乗している女性がアップテンポなノリのよい音楽を好むと判断すると、ノリのよい音楽を選択する。一方、シチュエーション２９０において、クラウドサーバ２２０は、同乗している女性が大人しい音楽を好むと判断すると、大人しい音楽を選択する。
【００２７】
このように、クラウドサーバ２２０は、スマートフォン２１０のカメラを用いて撮像された同乗者（同伴者）、またはユーザの表情、体型、体格、髪型、服装等の情報から、記憶部に蓄積されたデータを参照して、これらの情報と対応付けられたコンテンツを選択する。また、クラウドサーバ２２０は、スマートフォン２１０のマイクを用いて集音された同乗者、またはユーザの声のトーン、大きさ、しゃべる早さ、笑い声等の情報から、記憶部に蓄積されたデータを参照して会話が盛り上がっているか否か認識し、取得した情報と対応付けられたコンテンツを選択する。
【００２８】
ここで音楽データのリストは、スマートフォン２１０の蓄積部に蓄積された音楽データ、またはネットワーク２３０を介して通信可能に接続された自宅ＰＣ２４０の蓄積部に蓄積された音楽データに基づいて生成される。クラウドサーバ２２０は、音楽データリストの中から、大衆知に基づいてユーザの置かれたユーザ状況情報に可能な限り対応した音楽を選択して、この選択結果をスマートフォン２１０に送信する。
【００２９】
（情報処理システムの手続きの流れ）
次に、本発明の第２実施形態に係る情報処理システム２００の全体的な処理の流れについて、図３のシーケンス図を用いて説明する。
【００３０】
ステップＳ３０１において、自宅ＰＣ２４０は、電源をオンにしておく。ステップＳ３０３において、スマートフォン２１０は、アプリケーションを起動し、ステップＳ３０５において、ログインを行なう。ステップＳ３０７において、クラウドサーバ２２０は、スマートフォン２１０からのログインを受け付ける。ステップＳ３０９において、スマートフォン２１０は、ユーザ状況情報として、音楽を再生する際の同伴者の有無、同伴者との関係、心理状態などを受け付ける。ステップＳ３１１において、スマートフォン２１０は、受け付けたユーザ状況情報をネットワーク２３０を介してクラウドサーバ２２０に送信する。ステップＳ３１３において、スマートフォン２１０は、ユーザ属性情報として、ユーザの性別、年齢などを受け付ける。なお、スマートフォン２１０は、ユーザ属性情報をアプリケーションにユーザ登録する際にあらかじめ登録しておいてもよい。ステップＳ３１５において、スマートフォン２１０は、受け付けたユーザ属性情報をクラウドサーバ２２０に送信する。ステップＳ３１７において、スマートフォン２１０は、ユーザ環境情報として、経緯度、季節などの選択を受け付ける。ステップＳ３１９において、スマートフォン２１０は、受け付けたユーザ環境情報をクラウドサーバ２２０に送信する。
【００３１】
ステップＳ３２１において、スマートフォン２１０は、蓄積部に蓄積した音楽データのリストをクラウドサーバ２２０に送信する。ステップＳ３２３において、自宅ＰＣ２４０は、蓄積部に蓄積した音楽データのリストをクラウドサーバ２２０に送信する。ステップＳ３２５において、クラウドサーバ２２０は、スマートフォン２１０または自宅ＰＣ２４０から送信された音楽データのリストを取得して、記憶部に記憶する。ステップＳ３２７において、スマートフォン２１０は、ユーザ状況情報、ユーザ属性情報、およびユーザ環境情報にマッチする音楽データリストをクラウドサーバ２２０にリクエストする。
【００３２】
ステップＳ３２９において、クラウドサーバ２２０は、他のユーザのユーザ状況情報、ユーザ属性情報、およびユーザ環境情報を対応付けて記憶部に記憶した大衆知を用いて、ユーザの現状にマッチする最適な音楽を選択（選曲）し、記憶部に記憶したユーザの音楽データリストから音楽を選択する。
【００３３】
ここで、大衆知として記憶部に記憶されている音楽は、再生時間に応じてポイントを付与される。例えば、再生時間がイントロダクションまでなのか、半分までなのか、終わりまでなのかの基準に基づいて、ポイント記憶部としての記憶部は、ユーザに再生された音楽にポイントを付与して、音楽に関する情報の大衆知として記憶する。大衆知は、クラウドサーバ２２０により奨められた音楽を、他のユーザにおける再生時間に応じて付与されたポイントと共に記憶される。
【００３４】
ステップＳ３３１において、クラウドサーバ２２０は、スマートフォン２１０に選曲した音楽データリストを送信する。ステップＳ３３３において、スマートフォン２１０は、クラウドサーバ２２０から受信した音楽データリストに基づいて、自機に蓄積する音楽を再生する。
【００３５】
（情報処理システムの構成）
次に、本実施形態に係る情報処理システム２００の構成を、図４のブロック図を用いて説明する。情報処理システム２００は、スマートフォン２１０と、クラウドサーバ２２０と、自宅ＰＣ２４０とを備え、それぞれネットワーク２３０を介して通信可能に接続されている。また、通信端末４７１〜４７３もネットワーク２３０を介して通信可能に接続されている。
【００３６】
スマートフォン２１０は、送信部４１１と、要求部４１２と、受信部４１３と、再生部４１４と、蓄積部４１５とを有する。クラウドサーバ２２０は、記憶部４２１と、受信部４２２と、選択部４２３と、送信部４２４とを有する。自宅ＰＣ２４０は、蓄積部４４１を有し、音楽データ４４２を蓄積する。なお、スマートフォン２１０は、音楽データを蓄積部４１５に蓄積する。
【００３７】
送信部４１１は、ユーザ状況情報を受け付ける。また、送信部４１１は、ユーザ属性情報やユーザ環境情報を受け付ける。ここで、ユーザ状況情報には、図５Ｂに示すような同伴者の有無、ユーザと同伴者との関係、ユーザの心理状態などのユーザの感情に由来する情報を含む。また、図５Ｃに示すように、趣味、デート、旅行、ビジネスなどの利用シーンや、室内、ランニング、サイクリングなどのユーザ行動のような音楽を再生する状況に関する情報を含む。
【００３８】
次に、ユーザ属性情報には、図５Ｄに示すように、ユーザの性別、年齢を含む。また、図５Ｅに示すように、職業、役職に関する情報を含む。
【００３９】
また、ユーザ環境情報には、図５Ｆに示すように、経緯度に基づく位置情報、季節、天候などの外的な環境に関する情報を含む。送信部４１１は、ユーザ状況情報、ユーザ属性情報、およびユーザ環境情報をクラウドサーバ２２０に送信する。さらに、送信部４１１は、必要に応じて蓄積部４１５に蓄積した音楽データのリストをクラウドサーバ２２０に送信する。
【００４０】
要求部４１２は、受け付けたこれら情報に応じた最適な音楽に関する情報を、クラウドサーバ２２０にリクエストする。
【００４１】
クラウドサーバ２２０は、受信部４２２において、スマートフォン２１０から送信されたユーザ状況情報、ユーザ属性情報、ユーザ環境情報、リクエスト、および音楽データのリストを受け付ける。記憶部４２１は、音楽データのリストと、ログイン時に確認したユーザ情報とを対応付けて、ユーザの好みの音楽傾向を記憶する。そして、選択部４２３は、記憶部４２１に記憶された大衆知に基づいて、特定の状況下において他のユーザにより再生されている回数の多い音楽を選択する。そして、選択部４２３は、選択された音楽とユーザの好みの音楽傾向とを比較して、選択された音楽と同様の傾向の音楽をユーザの所有する音楽データのリストから選択する。送信部４２４は、選択部４２３において選択した音楽データのリストをスマートフォン２１０に送信する。
【００４２】
スマートフォン２１０は、受信部４１３においてクラウドサーバ２２０から送信された音楽データのリストを受信すると、再生部４１４において、リストの音楽データを再生する。スマートフォン２１０において再生された音楽は、車内のスピーカを通して出力される。図２をみると、シチュエーション２８０においては、同席の女性の好みに合わせて、アップテンポでリズミカルな音楽を再生されている。一方、シチュエーション２９０をみると、同席の女性の好みに合わせて、スローテンポでムーディーな音楽を再生されている。
【００４３】
（記憶部のテーブル）
図５Ａ〜図５Ｆを用いて、クラウドサーバ２２０の記憶部４２１に記憶される各テーブルについて説明する。図５Ａ〜図５Ｆに示す各テーブルは、クラウドサーバ２２０においてユーザからのリクエストを受けて音楽を選択（選曲）する際に用いられる。各テーブルは、クラウドサーバ２２０の記憶部４２１に、他のユーザにおいて音楽を再生した時のユーザ状況情報、ユーザ属性情報、およびユーザ環境情報を示す。
【００４４】
図５Ａは、クラウドサーバ２２０において音楽データの選択を行なうための条件を表わすテーブル５００を示す。このテーブル５００は、ユーザ状況情報５１０、ユーザ属性情報５４０、ユーザ環境情報５７０についての各データを示す。ユーザ状況情報５１０は、図５Ｂに示す、同伴者の有無、同伴者との関係、ユーザの心理状態についての情報であり、図５Ｃに示す、利用シーン、ユーザ行動に関する情報である。ユーザ属性情報５４０は、図５Ｄに示す、ユーザの性別、年齢であり、図５Ｅに示す、職業のようにユーザ個人に由来する情報である。ユーザ環境情報５７０は、図５Ｆに示す、経緯度、季節、天候のような外的環境に関する情報である。
【００４５】
図５Ｂは、ユーザ状況情報を判定するテーブル５２０を示す。テーブル５２０は、同伴者５２１と、ユーザと同伴者との関係５２３と、ユーザの心理状態５２５とを示す。同伴者５２１は、音楽を再生する際に同伴者がいるか否かであり、本実施形態においては、１人であるか、２人以上であるかのいずれかである。ユーザと同伴者との関係５２３は、ユーザと同伴者との、ユーザの主観による関係を表わす。関係としては、「付き合う前」、「付き合い始め」、「恋人」、「夫婦」、...のようにユーザ以外の利用者との関係を表わす。ユーザの心理状態５２５は、「好調」、「緊張」、「うれしい」、...のようにスマートフォン２１０のユーザの音楽を再生する際の主観的な気分を表わす。これら心理状態を選択することにより、ユーザの現状に最も適合した音楽を、大衆知に基づいて選択可能となる。ここで、図２に示した男女の例でみると、同伴者５２１を「２人」、関係５２３を「付き合う前」、心理状態５２５を「緊張」のように選択可能である。
【００４６】
図５Ｃは、クラウドサーバ２２０でユーザ状況情報として、主としてユーザの行動を判定するテーブル５３０を示す。テーブル５３０は、音楽を再生する際のユーザの置かれた状況として、利用シーン５３１とユーザ行動５３３とを示す。利用シーン５３１は、趣味、デート、旅行、ビジネスなど、ユーザがどのような状況であるかを主観的に表わす。ユーザ行動５３３は、室内、散歩、ウォーキング、ランニング、...のように、音楽を再生する際のユーザの行動を表わす。ここで、図２に示した男女の例でみると、シチュエーション２８０および２９０共に、利用シーン５３１は「デート」、ユーザ行動５３３「ドライブ」として選択可能である。
【００４７】
図５Ｄは、クラウドサーバ２２０でユーザ属性情報を判定するテーブル５５０を示す。テーブル５５０は、ユーザ属性のうち、性別５５１と、年齢５５３とを示す。性別５５１は男女を示す。年齢５５３は、本実施形態において、およそ３歳ごとに分けるが、これに限るものではない。例えば、２０代であれば２１歳〜２３歳、２４歳〜２６歳、２７歳〜３０歳のように分ける。なお、性別および年齢による区分の方法はこれらに限られるものではない。ここで、図２のシチュエーション２８０および２９０に示した男女の例でみると、性別５５１を「男」、年齢を「２４〜２６」歳のように選択可能である。
【００４８】
図５Ｅは、クラウドサーバ２２０でユーザ属性情報５４０を判定するテーブル５６０を示す。テーブル５６０は、ユーザの職業５６１と、役職５６３とを示す。職業５６１は、小学生、学生、サラリーマン、公務員、専門職、...などに分けられる。役職５６３は、マネージャー、チーフ、主任、課長、部長、...などの役職を示す。また、役職５６３は、例えば、学校における飼育係や、学級員や生徒会の書記、副会長などであってもよい。ここで、図２に示した男女の例でみると、職業５６１を「公務員」、役職５６３を「なし」のように選択可能である。
【００４９】
図５Ｆは、クラウドサーバでユーザ環境情報５７０を判定するテーブル５８０を示す。テーブル５８０は、音楽を再生する際の地理や気候などの外的状況に関する情報として、位置情報としての経緯度５８１と、季節５８２と、天候５８３と、時間５８４と、目的地５８５と、周辺写真５８６とを示す。経緯度５８１は、スマートフォン２１０の広域測位機能を利用して、スマートフォン２１０の現在位置を特定する。季節５８２、天候５８３、時間５８４のような複数の情報を組み合わせることで、同じ経緯度であっても、風景、温度、湿度など外的な環境に変化を生じることがあり、再生したい音楽が変わりうる。目的地５８５は、スマートフォン２１０の現在位置から目的地５８５までのルートを、カーナビゲーションシステムにより導き出してクラウドサーバ２２０に送信することにより、目的地到達までに眺められる景勝地に最適な音楽を選択することが可能となる。
【００５０】
周辺写真５８６は、スマートフォン２１０の撮像部を用いて撮像された現在地の周辺風景の写真をリクエストと共に取得することにより、クラウドサーバ２２０は、周辺風景にマッチした音楽を選択することが可能となる。なお、本実施形態において周辺写真５８６を写真に限定しているがこれに限られるものではなく、動画であってもよい。ここで、図２に示した男女の例でみると、経緯度５８１を広域測位機能により取得され、季節５８２を「夏」、天候５８３を「快晴」、時間５８４を「午前９時」、目的地５８５を「富士急ハイランド」のように選択可能にする。そして、ユーザは、周辺写真５８６として、ドライブ中の車窓風景をスマートフォン２１０で撮像して送信する。なお、ユーザにおいて、あらかじめ目的地とルートと出発時刻とを設定したデートコースの詳細情報をクラウドサーバ２２０に送信しておく。このデートコースに最適な音楽をリクエストすることで、スマートフォン２１０は、デートコースの先々でクラウドサーバ２２０から音楽データを逐次受信可能である。
【００５１】
また、風景写真５８６は、写真または動画を撮像した場所の位置情報が埋め込まれてクラウドサーバ２２０に送信されてもよい。クラウドサーバ２２０において、ネットワーク２３０を介して季節５８２、天候５８３、時間５８４を入手可能であるため、スマートフォン２１０は、風景写真５８６のみを送信することにより、最適な音楽データをクラウドサーバ２２０から取得することが可能である。
【００５２】
（クラウドサーバのハードウェア構成）
図６を用いて、クラウドサーバ２２０のハードウェア構成を説明する。クラウドサーバ２２０は、ＣＰＵ６１０と、ＲＯＭ６２０と、通信制御部６３０と、ＲＡＭ６４０と、ストレージ６５０とを備えている。ＣＰＵ６１０は中央処理部であって、様々なプログラムを実行することによりクラウドサーバ２２０全体を制御する。ＲＯＭ６２０は、リードオンリメモリであり、ＣＰＵ６１０が最初に実行すべきブートプログラムの他、各種パラメータ等を記憶している。また、ＲＡＭ６４０は、ユーザ状況情報５１０と、ユーザ属性情報５４０と、ユーザ環境情報５７０と、好みの音楽傾向６４１と、選択した音楽データリスト６４２とを記憶する。
【００５３】
一方、ストレージ６５０は、記憶部４２１と、プログラム６５１とを記憶している。また、通信制御部６３０は、スマートフォン２１０や自宅ＰＣ２４０とのネットワークを介した通信を制御する。
【００５４】
ユーザ状況情報５１０は、図５Ｂに示すとおり、スマートフォン２１０から受け付けた、同伴者の有無や、同伴者との関係や、心理状態などを一時記憶したものである。さらに、ユーザ状況情報５１０は、図５Ｃに示すとおり、音楽を再生する際のユーザの置かれた状況としての趣味、デート、旅行、ビジネス、...と、ユーザの行動として室内、散歩、ドライブ、...等に関する情報とを一時記憶したものである。ユーザ属性情報５４０は、ユーザの性別、年齢、職業を一時記憶するものである。ユーザの環境情報５７０は、スマートフォン２１０の現在位置の経緯度、季節、天候、時間、...などを一時記憶するものである。
【００５５】
好みの音楽傾向６４１は、スマートフォン２１０の蓄積部４１５に蓄積された音楽の、ジャンルやアーティストや音楽の再生履歴を一時記憶したものである。選択した音楽データリスト６４２は、スマートフォン２１０から受け付けたユーザ状況情報５１０とユーザ属性情報５４０とユーザ環境情報５７０とリクエストとに基づいて、記憶部４２１に記憶された大衆知から選択した音楽データを一時記憶したものである。
【００５６】
プログラム６５１に蓄積された各モジュールの機能について説明する。ユーザ状況情報受付モジュール６５２は、スマートフォン２１０からユーザ状況情報としてのユーザの現在の状況に関する情報を受け付けるために機能する。ユーザ属性情報受付モジュール６５３は、スマートフォン２１０からユーザ属性情報としてのユーザの性別、年齢、心理状態、職業などに関する情報を受け付けるために機能する。ユーザ環境情報受付モジュール６５４は、スマートフォン２１０からユーザ環境情報としてのユーザの置かれた外的環境に関する情報を受け付けるために機能する。ユーザの音楽傾向判定モジュール６５５は、スマートフォン２１０の蓄積部４１５に蓄積された音楽データを読み込んで、音楽のジャンルまたはアーティストと音楽の再生履歴とを判定するために機能する。音楽選択モジュール６５６は、読み込んだ音楽データからユーザの状況に最適な音楽を選択するために機能する。送信モジュール６５７は、選択した音楽データを、スマートフォン２１０に送信するために機能する。
【００５７】
（クラウドサーバで行なう処理のフローチャート）
図７Ａおよび図７Ｂを用いて、クラウドサーバ２２０の手続きの処理を示すフローチャートについて説明する。
【００５８】
まず、図７Ａについて説明する。ステップＳ７０１において、受信部４２２は、スマートフォン２１０からのログインを受け付けて、ログイン処理を行う。ステップＳ７０３において、受信部４２２は、スマートフォン２１０から送信されたユーザ状況情報５１０に関する情報を受信すると、ステップＳ７０５に進む。一方、受信部４２２は、スマートフォン２１０からユーザ状況情報５１０を受信するまで受信処理を繰り返す。ステップＳ７０５において、受信部４２２は、スマートフォン２１０からユーザ属性情報５４０に関する情報を受信すると、ステップＳ７０７に進む。一方、受信部４２２は、ユーザ属性情報５４０に関する受信をするまで受信処理を繰り返す。次に、ステップＳ７０７において、受信部４２２は、ユーザ環境情報５７０に関する情報を受信するまで受信処理を繰り返す。受信すると、ステップＳ７０９に進む。
【００５９】
ステップＳ７０９において、スマートフォン２１０から音楽のリクエストを受け付けると、選択部４２３は、スマートフォン２１０から音楽データのリストを取得する。または、コンテンツ記憶サーバとして機能するユーザの自宅ＰＣ２４０から音楽データのリストを取得する。ステップＳ７１１において、選択部４２３は、記憶部４２１に記憶している音楽データに関する大衆知を用いて、スマートフォン２１０のユーザの現状に適合する、または最適である音楽データを取得（選択）する。ステップＳ７１３において、送信部４２４は、選択部４２３において取得（選択）された音楽データのリストを、スマートフォン２１０に送信する。
【００６０】
次に、図７Ｂにおいて、風景写真５８６を取得した場合の処理について説明する。ステップＳ７０１において、受信部４２２は、スマートフォン２１０からのログインを受け付けると、ステップＳ７２１において、スマートフォン２１０から風景写真５８６を取得する。ステップＳ７２１において風景写真５８６を取得しない場合には、処理を終了する。ステップＳ７２３において、受信部４２２は、風景写真５８６に埋め込まれた位置情報を取得する。位置情報を取得するまでこの処理を繰り返す。そして、ステップＳ７２５において、受信部４２２は、ネットワーク２３０を介して、ユーザ環境情報として、季節５８２、気候５８３、時間５８４を取得する。これらの情報を取得すると、ステップＳ７０９に進む。
【００６１】
（スマートフォンの手続きの処理を示すフローチャート）
図８を用いて、スマートフォン２１０の手続きの処理を示すフローチャートについて説明する。
【００６２】
ステップＳ８０１において、音楽データの選択を実行するアプリケーションを起動する。ステップＳ８０３において、クラウドサーバ２２０にログインを行なう。ステップＳ８０５において、送信部４１１は、ユーザ状況情報５１０を受け付ける。ステップＳ８０７において、送信部４１１は、ユーザ属性情報５４０を受け付ける。ステップＳ８０９において、送信部４１１は、ユーザ環境情報５７０を受け付ける。ステップＳ８１１において、要求部４１２は、音楽データのリクエストをクラウドサーバ２２０に送信する。ステップＳ８１３において、スマートフォン２１０は、クラウドサーバ２２０から送信された音楽データのリストを受け付ける。ステップＳ８１５において、再生部４１４は、受け付けた音楽データリストに基づいて音楽データを再生する。
【００６３】
図９を用いて、本実施形態に係る情報処理システム２００の他の利用例について説明する。
【００６４】
スマートフォン２１０は、同伴者５２１について「あり」、関係５２３について「夫婦」、心理状態５２５について「楽しい」の選択を受け付ける。次に、スマートフォン２１０は、テーブル５３０の利用シーン５３１について「旅行」、ユーザ行動５３３について「ドライブ」の選択を受け付ける。
【００６５】
図５Ｄに示すテーブル５５０の性別５５１について「男」、年齢５５３について「２７歳〜３０歳」を入力される。なお、ユーザの属性情報のうち、図５Ｅに示すテーブル５６０の職業５６１や役職５６３のように、図５Ｃに示す利用シーン５３１の趣味、デート、旅行などとの関連性が低い属性情報については、必ずしも選択されなくてもよい。
【００６６】
スマートフォン２１０は、テーブル５８０の経緯度５８１について広域測位機能により計測される。また、季節５８２について「春」、天候５８３について「晴れ」、時間５８４について「午後２時」、目的地５８５について「湖」の選択を受け付ける。なお、スマートフォン２１０の撮像部を用いて、湖に向かう途中の車窓からの周辺写真５８６を撮像し、ユーザ環境情報５７０として送信してもよい。スマートフォン２１０は、入力または選択されたこれらの情報や写真を、送信部４１１からクラウドサーバ２２０に送信する。
【００６７】
クラウドサーバ２２０は、ユーザ状況情報５１０、ユーザ属性情報５４０、およびユーザ環境情報５７０に関する情報を、受信部４２２において受け付ける。クラウドサーバ２２０は、受け付けた状況下にあるユーザに最適な音楽を提供するために、記憶部４２１に記憶した他のユーザの状況情報等と対応付けた音楽データを選択して、リストをスマートフォン２１０に送信する。ここで、送信される音楽データのリストとしては、２７歳〜２９歳男性を含む夫婦に好まれる曲や、旅行中またはドライブ中に好まれる曲や、晴れた春の午後に好まれる曲や、湖周辺で好まれる曲などの情報と対応付けられた曲のリストである。クラウドサーバ２２０は、これらの情報に基づいて選択した２以上の音楽データのリストを、スマートフォン２１０に送信する。
【００６８】
図１０を用いて、本実施形態にかかる情報処理システム２００の他の利用例について説明する。図１０において、スマートフォン２１０は、ユーザにより電車内で利用されている。この利用状況において、スマートフォン２１０は、２０代男性に好まれる曲、電車の１人旅で好まれる曲、晴れた夏の朝に好まれる曲、海の見える場所で好まれる曲、などの情報に対応付けられた曲をリクエストする。クラウドサーバ２２０は、これらの情報に基づいて選択した音楽データのリストを、スマートフォン２１０に送信する。
【００６９】
以上の構成および動作により、本実施形態係る情報処理システムによれば、クラウドサーバに大衆知として蓄積された他のユーザによるコンテンツの再生履歴に基づいて、ユーザの現状に最適なコンテンツを提供することができる。
【００７０】
［第３実施形態］
次に本発明の第３実施形態に係る情報処理システム１１００について、図１１を用いて説明する。図１１は、本実施形態に係る情報処理システム１１００の構成を示すブロック図である。本実施形態に係る情報処理システム１１００は、上記第２実施形態と比べると、クラウドサーバ１１２０は、コンテンツリスト記憶部１１２１に音楽データを記憶する点で異なる。また、リクエストに対して送信する選択結果として、音楽データのリストに限らず、コンテンツリスト記憶部に記憶した音楽データを送信する点で異なる。その他の構成および動作は、第２実施形態と同様であるため、同じ構成および動作については同じ符号を付してその詳しい説明を省略する。
【００７１】
クラウドサーバ１１２０は、コンテンツ記憶部として機能するコンテンツリスト記憶部１１２１において、音楽データ１１４１を記憶する。これにより、スマートフォン２１０からリクエストを受け付けた場合に、ユーザに送信する音楽データのリストの範囲は、ユーザの自宅ＰＣ２４０、またはスマートフォン２１０に蓄積された音楽データに限られない。したがって、クラウドサーバ１１２０は、コンテンツリスト記憶部１１２１に記憶する音楽データ１１４１からユーザの現状に最適な音楽データを選択することが可能である。
【００７２】
また、コンテンツリスト記憶部１１２１に記憶した音楽データ１１４１を選択部１１２３で選択し、スマートフォン２１０に送信部１１２４により送信してもよい。
【００７３】
図１２を用いて、クラウドサーバ１１２０の手続の処理を示すフローチャートについて説明する。
【００７４】
ステップＳ７０７において、受信部４２２は、ユーザ環境情報５７０に関する情報を受信する。ステップＳ１２０１において、選択部１１２３は、スマートフォン２１０から受け付けたリクエストに応じて、コンテンツリスト記憶部１１２１に記憶した音楽データ１１４１からデータを選択する。
【００７５】
以上の構成および動作により、本実施形態に係る情報処理システム１１００によれば、スマートフォンからコンテンツデータのリクエストを受け付けた場合に、クラウドサーバは、記憶部に記憶されたコンテンツデータを利用することが可能となる。これにより、クラウドサーバは、選択するコンテンツデータをユーザのスマートフォンまたは自宅ＰＣに限られないし、ユーザにおいても所有していない新規なコンテンツを取得することが可能となる。
【００７６】
［第４実施形態］
次に本発明の第４実施形態に係る情報処理システム１３００について、図１３を用いて説明する。図１３は、本実施形態に係る情報処理システム１３００の構成を示すブロック図である。本実施形態に係る情報処理システム１３００は、上記第２実施形態と比べると、クラウドサーバ１３２０のコンテンツリスト記憶部１３２１において、音楽データに限らず動画データや静止画データを含む映像データなどのコンテンツデータを記憶する点で異なる。その他の構成および動作は、第２実施形態と同様であるため、同じ構成および動作については同じ符号を付してその詳しい説明を省略する。
【００７７】
本実施形態によれば、スマートフォンのユーザにおいて、自分の好みのデータであって、状況に最適な映像データを受け取ることが可能となる。
【００７８】
情報処理システム１３００は、スマートフォン１３１０と、クラウドサーバ１３２０と、自宅ＰＣ１３４０とを備える。スマートフォン１３１０は、車のオーディオに接続されており、車載モニタ１３５０に映像データを出力可能である。
【００７９】
スマートフォン１３１０からは、ユーザ状況情報として、同伴者「あり」、同伴者「家族」、心理状態「楽しい」などの情報を、ネットワーク２３０を介してクラウドサーバ１３２０に送信する。また、ユーザ状況情報として、さらに家族構成「小学生」、「２人」、「男女」などの情報を送信してもよい。次に、ユーザ属性情報として、年齢「３４歳〜３６歳」などの情報を送信し、ユーザ環境情報として、利用シーン「レジャー」、ユーザ行動「移動」、目的地「水族館」などの情報をネットワーク２３０を介してクラウドサーバ１３２０に送信する。
【００８０】
これらのユーザの現状についての情報を受け付けると、クラウドサーバ１３２０は、コンテンツリスト記憶部１３２１に記憶されたコンテンツデータの中から、「水族館」と対応づけられた、熱帯魚などの魚を含む水生生物に関する音楽データ１３４１や、水生生物の登場する動画（図１３においてはMPEG）データ１３４２を選択して、スマートフォン１３１０に選択結果を送信する。なお、コンテンツリスト記憶部１３２１は、音楽データ１３４１および動画データ１３４２の他に静止画データを記憶してもよい。
【００８１】
次に、図１４を用いて、クラウドサーバ１３２０のハードウェア構成を説明する。ＲＡＭ１４４０は、好みの音楽・映像傾向１４４１と、選択した音楽・映像データリスト１４４２とを記憶する。一方、ストレージ１４５０は、コンテンツリスト記憶部１３２１と、プログラム１４５１とを記憶している。
【００８２】
好みの音楽・映像傾向１４４１は、スマートフォン１３１０の蓄積部に蓄積された音楽・映像のジャンルや再生履歴を一時記憶したものである。選択した音楽・映像データリスト１４４２は、スマートフォン１３１０から受け付けたユーザ状況情報とユーザ属性情報とユーザ環境情報とリクエストとに基づいて、コンテンツリスト記憶部１３２１に記憶された大衆知から選択した音楽・映像データを一時記憶したものである。本実施形態においては、水生生物に関する音楽データ１３４１や、水生生物の登場する動画データ１３４２である。
【００８３】
コンテンツリスト記憶部１３２１は、音楽データ１３４１や、動画データ１３４２を記憶する。プログラム１４５１は、ユーザの音楽・映像傾向判定モジュール１４５５と、音楽・映像選択モジュール１４５６とを蓄積する。ユーザの音楽・映像傾向判定モジュール１４５５は、スマートフォン１３１０の蓄積部に蓄積された音楽データや映像データを読み込んで、音楽・映像のジャンルと再生履歴とを判定するために機能する。音楽・映像選択モジュール１４５６は、読み込んだ音楽データや映像データからユーザの状況に最適な音楽・映像を選択するために機能する。
【００８４】
以上の構成および動作により、本実施形態によれば、クラウドサーバは、ユーザの好みを反映し、かつ、ユーザの状況に最適なコンテンツを、クラウドサーバに記憶された大衆知を用いつつ、膨大なコンテンツデータの中から選択して送信する。
【００８５】
［他の実施形態］
以上、第１実施形態〜第４実施形態を参照して本願発明を説明したが、本願発明は上記実施形態のようにユーザの現状にマッチしたコンテンツを提供することに限定されるものではない。例えば、ユーザの嗜好に基づいてコンテンツを提供することも可能である。この場合には、スマートフォンの画面に、あらかじめ定められた音楽のジャンルやアーティストなどを表示して、ユーザの選択を受け付ける。クラウドサーバは、ユーザの自宅ＰＣに蓄積されたコンテンツ、またはコンテンツリスト記憶部に蓄積されたデータの中からユーザの嗜好に合ったコンテンツを選択してスマートフォンに提供する。
【００８６】
以上、実施形態を参照して本願発明を説明したが、本願発明は上記実施形態に限定されものではない。本願発明の構成や詳細には、本願発明のスコープ内で当業者が理解し得る様々な変更をすることができる。また、それぞれの実施形態に含まれる別々の特徴を如何様に組み合わせたシステムまたは装置も、本発明の範疇に含まれる。
【００８７】
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。
【図１】
2013200696.tif 000003
【図２】
2013200696.tif 000004
【図３】
2013200696.tif 000005
【図４】
2013200696.tif 000006
【図５Ａ】
2013200696.tif 000007
【図５Ｂ】
2013200696.tif 000008
【図５Ｃ】
2013200696.tif 000009
【図５Ｄ】
2013200696.tif 000010
【図５Ｅ】
2013200696.tif 000011
【図５Ｆ】
2013200696.tif 000012
【図６】
2013200696.tif 000013
【図７Ａ】
2013200696.tif 000014
【図７Ｂ】
2013200696.tif 000015
【図８】
2013200696.tif 000016
【図９】
2013200696.tif 000017
【図１０】
2013200696.tif 000018
【図１１】
2013200696.tif 000019
【図１２】
2013200696.tif 000020
【図１３】
2013200696.tif 000021
【図１４】
2013200696.tif 000022